(57)【要約】【課題】  既存構造のシステムキッチンなどを改装することなく簡潔構造で昇降可能にする柱型スライド式昇降ユニットを提供すること。【解決手段】  柱型の外側中空体３１にスライド可能に内装される第１の内側中空体３２に第２の内側中空体３３がスライド可能に内装される柱型スライドユニット３０と、巻取ローラ４１に一端が固定され、外側中空体３１の上端に設けられたガイドローラ４２に掛けられてから第１の内側中空体３２の下側に設けられたガイドローラ４３に掛けられ、他端が外側中空体の上端に固定される第１のベルト５１と、外側中空体３１の下側に一端が固定され、第１の内側中空体３２の上端に設けられたガイドローラ４４に掛けられてから第２の内側中空体３３の下側に設けられたガイドローラ４５に掛けられ、他端が第１の内側中空体３２の上端に固定される第２のベルト５２とを備えることとした。【選択図】図２
2008162789.tif 000002
【特許請求の範囲】
【請求項１】
柱型の外側中空体にスライド可能に内装される第１の内側中空体の中空部に第２の内側中空体がスライド可能に内装され、垂直方向に設置される柱型スライドユニットと、前記柱型スライドユニットの外側に設けられる巻取ローラと、前記巻取ローラに一端が固定され、前記外側中空体の上端に設けられたガイドローラに掛けられてから前記第１の内側中空体の下側に設けられたガイドローラに掛けられ、他端が前記外側中空体の上端に固定される第１のベルトまたはワイヤと、前記外側中空体の下側に一端が固定され、前記第１の内側中空体の上端に設けられたガイドローラに掛けられてから前記第２の内側中空体の下側に設けられたガイドローラに掛けられ、他端が前記第１の内側中空体の上端に固定される第２のベルトまたはワイヤとを備えたことを特徴とする柱型スライド式昇降ユニット。
【請求項２】
前記筒型スライドユニットは、平行して２個設置され、前記巻取ローラが前記筒型スライドユニットの間に設置され、前記巻取ローラに一方の前記筒型スライドユニットの前記第１のベルトまたはワイヤが固定され、前記巻取ローラに他方の前記筒型スライドユニットの前記第１のベルトまたはワイヤが固定されることを特徴とする請求項１に記載の柱型スライド式昇降ユニット。
【請求項３】
前記柱型スライドユニットは、前記外側の中空体を円筒形状とし、前記第１、第２の内側中空体を角型の中空体とすることを特徴とする請求項１または請求２に記載の柱型スライド式昇降ユニット。
【請求項４】
前記第１のベルトまたはワイヤは、前記巻取ローラに一端が固定され、前記外側中空体の上端に設けられた前記ガイドローラに掛けられてから前記第１の内側中空体の下側に設けられた前記ガイドローラに掛けられ、前記外側中空体の上端に設けられたガイドローラに掛けられてから、他端が前記外側中空体の下端に固定され、前記第２のベルトまたはワイヤは、前記外側中空体の下側に一端が固定され、前記第１の内側中空体の上端に設けられたガイドローラに掛けられてから前記第２の内側中空体の下側に設けられたガイドローラに掛けられ、前記第１の内側中空体の上端に設けられたガイドローラに掛けられてから、他端が前記外側中空体の下端に固定されることを特徴とする請求項１または請求２に記載の柱型スライド式昇降ユニット。
【発明の詳細な説明】
【技術分野】
【０００１】  本発明は、既存構造のシステムキッチンや洗面台などを改装することなく簡潔構造で昇降可能にする柱型スライド式昇降ユニットに関する。
【背景技術】
【０００２】  従来のシステムキッチンや洗面台などには、垂直方向に設置したねじ棒をモータ駆動により回転させシステムキッチンや洗面台などの上部をキャビネット本体に対し昇降可能にする昇降装置が設置されているものがある（例えば、特許文献１参照）。【０００３】
【特許文献１】  特開平１１−７６０８０号公報
【発明の開示】
【発明が解決しようとする課題】
【０００４】  しかしながら、従来のシステムキッチンや洗面台などに使用される昇降装置は、システムキッチンや洗面台などの上部をキャビネット本体に対しスライド可能とし、垂直方向に設置したねじ棒をモータ駆動により回転させ上部を昇降するため、システムキッチンや洗面台などの構成を複雑とするとともに、昇降装置も機構が複雑であり、システムキッチンや洗面台などを新たに改造する必要があった。
本発明は、上記の問題に鑑みてなされたものであって、既存構造のシステムキッチンや洗面台などを改装することなく簡潔構造で昇降可能にする柱型スライド式昇降ユニットを提供することを目的とする。
【課題を解決するための手段】
【０００５】  本発明の柱型スライド式昇降ユニットは、柱型の外側中空体にスライド可能に内装される第１の内側中空体の中空部に第２の内側中空体がスライド可能に内装され、垂直方向に設置される柱型スライドユニットと、前記柱型スライドユニットの外側に設けられる巻取ローラと、前記巻取ローラに一端が固定され、前記外側中空体の上端に設けられたガイドローラに掛けられてから前記第１の内側中空体の下側に設けられたガイドローラに掛けられ、他端が前記外側中空体の上端に固定される第１のベルトまたはワイヤと、前記外側中空体の下側に一端が固定され、前記第１の内側中空体の上端に設けられたガイドローラに掛けられてから前記第２の内側中空体の下側に設けられたガイドローラに掛けられ、他端が前記第１の内側中空体の上端に固定される第２のベルトまたはワイヤとを備えることとした。
また、前記筒型スライドユニットは、平行して２個設置され、前記巻取ローラが前記筒型スライドユニットの間に設置され、前記巻取ローラに一方の前記筒型スライドユニットの前記第１のベルトまたはワイヤが固定され、前記巻取ローラに他方の前記筒型スライドユニットの前記第１のベルトまたはワイヤが固定されることとした。
また、前記柱型スライドユニットは、前記外側の中空体を円筒形状とし、前記第１、第２の内側中空体を角型の中空体とすることとした。
さらに、前記第１のベルトまたはワイヤは、前記巻取ローラに一端が固定され、前記外側中空体の上端に設けられた前記ガイドローラに掛けられてから前記第１の内側中空体の下側に設けられた前記ガイドローラに掛けられ、前記外側中空体の上端に設けられたガイドローラに掛けられてから、他端が前記外側中空体の下端に固定され、前記第２のベルトまたはワイヤは、前記外側中空体の下側に一端が固定され、前記第１の内側中空体の上端に設けられたガイドローラに掛けられてから前記第２の内側中空体の下側に設けられたガイドローラに掛けられ、前記第１の内側中空体の上端に設けられたガイドローラに掛けられてから、他端が前記外側中空体の下端に固定されることとした。
【発明の効果】
【０００６】  本発明の柱型スライド式昇降ユニットは、柱型の外側中空体にスライド可能に内装される第１の内側中空体の中空部に第２の内側中空体がスライド可能に内装され、垂直方向に設置される柱型スライドユニットと、前記柱型スライドユニットの外側に設けられる巻取ローラと、前記巻取ローラに一端が固定され、前記外側中空体の上端に設けられたガイドローラに掛けられてから前記第１の内側中空体の下側に設けられたガイドローラに掛けられ、他端が前記外側中空体の上端に固定される第１のベルトまたはワイヤと、前記外側中空体の下側に一端が固定され、前記第１の内側中空体の上端に設けられたガイドローラに掛けられてから前記第２の内側中空体の下側に設けられたガイドローラに掛けられ、他端が前記第１の内側中空体の上端に固定される第２のベルトまたはワイヤとを備えることとしたため、既存構造のシステムキッチンなどを改装することなく簡潔構造で容易に昇降することができる。また、既存構造のシステムキッチンなどをそのまま使用できるため、内部の収納スペースが昇降装置の設置のために縮小されることもなく、全体コストも安価にすることもできる。さらに、柱型スライド式昇降ユニットは、外から内部の機構が見えないため、外見上美観を得たものとすることもできる。
また、前記筒型スライドユニットは、平行して２個設置され、前記巻取ローラが前記筒型スライドユニットの間に設置され、前記巻取ローラに一方の前記筒型スライドユニットの前記第１のベルトまたはワイヤが固定され、前記巻取ローラに他方の前記筒型スライドユニットの前記第１のベルトまたはワイヤが固定されることとしたため、長方形のシステムキッチンなどを容易に昇降することができる。
また、前記柱型スライドユニットは、前記外側の中空体を円筒形状とし、前記第１、第２の内側中空体を角型の中空体とすることとしたため、小スペースでベルトを効果的に装着することができる。
さらに、前記第１のベルトまたはワイヤは、前記巻取ローラに一端が固定され、前記外側中空体の上端に設けられた前記ガイドローラに掛けられてから前記第１の内側中空体の下側に設けられた前記ガイドローラに掛けられ、前記外側中空体の上端に設けられたガイドローラに掛けられてから、他端が前記外側中空体の下端に固定され、前記第２のベルトまたはワイヤは、前記外側中空体の下側に一端が固定され、前記第１の内側中空体の上端に設けられたガイドローラに掛けられてから前記第２の内側中空体の下側に設けられたガイドローラに掛けられ、前記第１の内側中空体の上端に設けられたガイドローラに掛けられてから、他端が前記外側中空体の下端に固定されることとしたため、筒型スライドユニット３０Ａ、Ｂの上端の上昇力を増大させることができる。
【発明を実施するための最良の形態】
【０００７】  以下、本発明の実施の形態の柱型スライド式昇降ユニットにつき説明する。
【実施例１】
【０００８】  図１は、本発明の第１の実施の形態の柱型スライド式昇降ユニットが既存構造のシステムキッチンの下側に取付けられたときの斜視図を示す。
図１に示すように、本発明の第１の実施の形態の柱型スライド式昇降ユニット２０は、既存構造のシステムキッチン１０の下側に装着する。システムキッチン１０は、周辺に水栓１２が取付けられ食器を洗うシンク１３と、料理用の加熱器１４とが上部１１に取付けられ、前面側には、内部に物を収納するための開口扉１６が設けられている。
本発明の第１の実施の形態の柱型スライド式昇降ユニット２０は、筒型スライドユニット３０Ａ、３０Ｂによりシステムキッチン１０を矢印Ｈに示すように昇降することができる。【０００９】  図２は、本発明の第１の実施の形態の柱型スライド式昇降ユニットの上端が上昇したときの前面を開口した正面図を示し、図３は、本発明の第１の実施の形態の柱型スライド式昇降ユニットの上端が上昇したときの側面を開口した側面図を示す。
図２、図３に示すように、本発明の第１の実施の形態の柱型スライド式昇降ユニット２０は、並列設置し互いに連結した２個の筒型スライドユニット３０Ａ、３０Ｂと、筒型スライドユニット３０Ａ、３０Ｂの上端を昇降させる昇降駆動機構４０とで構成され、筒型スライドユニット３０Ａ、３０Ｂの上端を昇降させたときの正面図を示す。
筒型スライドユニット３０Ａ、３０Ｂは、筒型の外側中空体３１と、筒型の外側中空体３１にスライド可能に内装される第１の角型の内側中空体３２と、第１の角型の内側中空体３２にスライド可能に内装される第２の角型の内側中空体３３とで構成されている。筒型スライドユニット３０Ａ、３０Ｂは、筒型の外側中空体３１の互いに向き合う面が開口し、連結板３９により連結している。第２の角型の内側中空体３３の上側には、図１に示す既存構造のシステムキッチン１０の取付板１７が設けられている。
筒型スライドユニット３０Ａ、３０Ｂには、筒型の外側中空体３１の上端に設けられたガイドローラ４２と、第１の角型の内側中空体３２の下側に設けられるガイドローラ４３と、第１の角型の内側中空体３２の上端に設けられたガイドローラ４４と、第２の角型の内側中空体３３の下側に設けられるガイドローラ４５とが設けられている。
昇降駆動機構４０は、筒型スライドユニット３０Ａ、３０Ｂの間に設けられる巻取ローラ４１と、巻取ローラ４１を回動する駆動部５０とが設けられている。一方の筒型スライドユニット３０Ａの側の第１のベルト５１は、巻取ローラ４１に一端が固定され、ガイドローラ４２に掛けられてからガイドローラ４３に掛けられ、筒型の外側中空体３１の上端に係止部５３により他端が固定され、一方の筒型スライドユニット３０Ａの側の第２のベルト５２は、筒型の外側中空体３１の下面に係止部５４により一端が固定され、ガイドローラ４４に掛けられてからガイドローラ４５に掛けられ、第１の角型の内側中空体３２の上端に係止部５５により他端が固定され、他方の筒型スライドユニット３０も同様に第１、第２のベルトが設けられている。
駆動部５０は、ブラケット５６に駆動モータ５７ａが固定されるとともにギヤ５７ｂ、５７ｃとが取付けられている。駆動モータ５７ａには互いに噛合ったギヤ５７ｂ、５７ｃが連結し、ギヤ５７ｃのシャフト５８には巻取ローラ４１が固定され、駆動モータ５２ａにより巻取ローラ４１を回動することができる。【００１０】  図４は、本発明の第１の実施の形態の柱型スライド式昇降ユニットに取付けられる筒型スライドユニットの断面図を示し、図４（ａ）は、筒型の外側中空体の断面図を示し、図４（ｂ）は、第１の角型の内側中空体の断面図を示し、図４（ｃ）は、第２の角型の内側中空体の断面図を示す。
図４に示すように、筒型スライドユニット３０Ａ、３０Ｂは、筒型の外側中空体３１と、第１の角型の内側中空体３２と、第２の角型の内側中空体３３とで構成され、第１の角型の内側中空体３２が、筒型の外側中空体３１にスライダー３４によりスライド可能に内装され、第２の角型の内側中空体３３が、第１の角型の内側中空体３２にスライダー３４によりスライド可能に内装されている。筒型の外側中空体３１の側面には開口部３１ｂが形成され、開口部３１ｂに沿って連結受部３８ａが形成され、連結板３９の端部側には連結挿入部３８ｂが形成され、筒型の外側中空体３１と連結板３９と連結を行うことができる。
図４（ａ）に示すように、筒型の外側中空体３１は、内側に円形の中空部３１ａが形成され、内側の中空部３１ａにスライドガイド部３５が設けられ、スライドガイド部３５には、スライダー３４がスライド自在に挿入されるスライド溝３５ａが形成されている。
図４（ｂ）に示すように、第１の角型の内側中空体３２は、コーナ部の内側と外側にスライドガイド部３６が設けられ、スライドガイド部３６には、スライダー３４がスライド自在に挿入されるスライド溝３６ａが形成されている。
図４（ｃ）に示すように、第２の角型の内側中空体３３は、コーナ部の外側にスライドガイド部３７が設けられ、スライドガイド部３７には、スライダー３４がスライド自在に挿入されるスライド溝３７ａが形成されている。【００１１】  図５は、本発明の第１の実施の形態の柱型スライド式昇降ユニットの上端が下降したときの前面を開口した正面図を示し、図６は、本発明の第１の実施の形態の柱型スライド式昇降ユニットの上端が下降したときの側面を開口した側面図を示す。
図５、図６に示すように、本発明の第１の実施の形態の柱型スライド式昇降ユニット２０の筒型スライドユニット３０Ａは、駆動部５０により回動する巻取ローラ４１に一端が固定され、ガイドローラ４２に掛けられてからガイドローラ４３に掛けられ、他端が筒型の外側中空体３１の上端に係止部５３により固定された第１のベルト５１が巻戻され、筒型の外側中空体３１にスライド可能に内装される第１の角型の内側中空体３２が下降するとともに、第１の角型の内側中空体３２の下降により、筒型の外側中空体３１の下面に係止部５４により一端が固定され、ガイドローラ４４に掛けられてからガイドローラ４５に掛けられ、他端が第１の角型の内側中空体３２の上端に係止部５５により固定された第２のベルト５２が緩められ、第１の角型の内側中空体３２にスライド可能に内装される第２の角型の内側中空体３３も下降している。同様に筒型スライドユニット３０Ｂも下降状態にある。【００１２】  次に、本発明の第１の実施の形態の柱型スライド式昇降ユニット２０の昇降動作につき説明する。
図２、図３に示すように、本発明の第１の実施の形態の柱型スライド式昇降ユニット２０が上昇状況にあるときには、筒型スライドユニット３０Ａは、駆動部５０により回動する巻取ローラ４１に一端が固定され、ガイドローラ４２に掛けられてからガイドローラ４３に掛けられ、他端が筒型の外側中空体３１の上端に係止部５３により固定された第１のベルト５１が巻取られ、筒型の外側中空体３１にスライド可能に内装される第１の角型の内側中空体３２が上昇するとともに、第１の角型の内側中空体３２のガイドローラ４４も上昇するため、筒型の外側中空体３１の下面に係止部５４により一端が固定され、ガイドローラ４４に掛けられてからガイドローラ４５に掛けられ、他端が第１の角型の内側中空体３２の上端に係止部５５により固定された第２のベルト５２がガイドローラ４５を上昇させ、第１の角型の内側中空体３２にスライド可能に内装される第２の角型の内側中空体３３も上昇している。同様に筒型スライドユニット３０Ｂも上昇状態にある。
そのため、筒型スライドユニット３０Ａ、３０Ｂの第２の角型の内側中空体３３の上側に設けられた取付板１７は上昇しており、取付板１７に設置された図１に示す既存構造のシステムキッチン１０は上昇している。【００１３】  図５、図６に示すように、本発明の第１の実施の形態の柱型スライド式昇降ユニット２０が下降状況にあるときには、筒型スライドユニット３０Ａは、駆動部５０により回動する巻取ローラ４１に一端が固定され、ガイドローラ４２に掛けられてからガイドローラ４３に掛けられ、他端が筒型の外側中空体３１の上端に係止部５３により固定された第１のベルト５１が巻戻され、筒型の外側中空体３１にスライド可能に内装される第１の角型の内側中空体３２が下降するとともに、第１の角型の内側中空体３２の下降により、筒型の外側中空体３１の下面に係止部５４により一端が固定され、ガイドローラ４４に掛けられてからガイドローラ４５に掛けられ、他端が第１の角型の内側中空体３２の上端に係止部５５により固定された第２のベルト５２が緩められ、第１の角型の内側中空体３２にスライド可能に内装される第２の角型の内側中空体３３も下降している。同様に筒型スライドユニット３０Ｂも下降状態にある。
そのため、筒型スライドユニット３０Ａ、３０Ｂの第２の角型の内側中空体３３の上側に設けられた取付板１７は下降しており、取付板１７に設置された既存構造のシステムキッチン１０は下降している。
【実施例２】
【００１４】  図７は、本発明の第２の実施の形態の柱型スライド式昇降ユニットの図を示し、図７（ａ）は、前面を開口した正面図を示し、図７（ｂ）は、側面を開口した側面図を示す。
本発明の第２の実施の形態の柱型スライド式昇降ユニット２０は、本発明の第１の実施の形態と同様に筒型スライドユニット３０Ａ、３０Ｂが設けられるが、図７（ａ）では、筒型スライドユニット３０Ａを示す。
図７に示すように、本発明の第２の実施の形態では、筒型スライドユニット３０Ａの第１のベルト５１は、巻取ローラ４１に一端が固定され、外側中空体３１の上端に設けられたガイドローラ４２に掛けられてから第１の内側中空体３２の下側に設けられたガイドローラ４３に掛けられ、外側中空体３１の上端に設けられたガイドローラ６１に掛けられてから、他端が外側中空体３１の下端に係止部６２により固定され、第２のベルト５２は、外側中空体３１の下側に一端が固定され、第１の内側中空体３１の上端に設けられたガイドローラ４４に掛けられてから第２の内側中空体３３の下側に設けられたガイドローラ４５に掛けられ、第１の内側中空体３２の上端に設けられたガイドローラ６３に掛けられてから、他端が外側中空体３１の下端に係止部６４により固定されている。本発明の第２の実施の形態では、筒型スライドユニット３０Ｂも本発明の第２の実施の形態の筒型スライドユニット３０Ａと同様に構成されている。そのため、本発明の第２の実施の形態では、筒型スライドユニット３０Ａ、Ｂの第１、第２の内側中空体３２、３３の上昇力を増大させることができる。【００１５】  以上述べたように、本発明の実施の形態の柱型スライド式昇降ユニットは、既存構造のシステムキッチンの下側に取付けられ、既存構造のシステムキッチンを改装することなく簡潔構造で容易に昇降することができる。システムキッチンを改装する必要はなく既存構造のものをそのまま使用でき、内部の収納スペースが昇降装置の設置のために縮小されることもなく、また、全体コストも安価にすることもできる。さらに、柱型スライド式昇降ユニットは、外から内部の機構が見えないため、外見上美観を得たものとすることもできる。
なお、本発明の実施の形態の柱型スライド式昇降ユニットは、システムキッチンの下側に装着することとしたが、その他、洗面台などの箱体の下側に装着するもできる。
また、柱型スライド式昇降ユニットは、２個の並列設置した筒型スライドユニットの上端を駆動部により昇降させる例につき説明し、システムキッチンの下側に設置することとしたが、その他、設置するシステムキッチンや洗面台などの箱体の大きさや形状に応じ１個の筒型スライドユニットを使用し駆動部により昇降させることもできる。
また、上記の実施例では、筒型スライドユニットは、筒型の外側中空体と、第１の角型の内側中空体と、第２の角型の内側中空体とで構成し、柱型のスライドユニットとているが、筒型の外側中空体は、角型の外側中空体とし、柱型のスライドユニットとすることもできる。
また、筒型スライドユニットは、筒型の外側中空体と第１の角型の内側中空体との間、および第１の角型の内側中空体と第２の角型の内側中空体との間にスライド可能にスライダーを設けることとしたが、スライダーに代えてローラを設けるようにすることもできる。
さらに、本発明の実施の形態の柱型スライド式昇降ユニットは、ベルトを使用することとしたが、ワイヤなども同様に使用することができる。
【図面の簡単な説明】
【００１６】
【図１】  本発明の第１の実施の形態の柱型スライド式昇降ユニットが既存構造のシステムキッチンの下側に取付けられたときの斜視図を示す。
【図２】  本発明の第１の実施の形態の柱型スライド式昇降ユニットの上端が上昇したときの前面を開口した正面図を示す。
【図３】  図３は、本発明の第１の実施の形態の柱型スライド式昇降ユニットの上端が上昇したときの側面を開口した側面図を示す。
【図４】  本発明の第１の実施の形態の柱型スライド式昇降ユニットに取付けられる筒型スライドユニットの断面図を示し、図３（ａ）は、筒型の外側中空体の断面図を示し、図３（ｂ）は、第１の角型の内側中空体の断面図を示し、図３（ｃ）は、第２の角型の内側中空体の断面図を示す。
【図５】  図５は、本発明の第１の実施の形態の柱型スライド式昇降ユニットの上端が下降したときの前面を開口した正面図を示す。
【図６】  本発明の第１の実施の形態の柱型スライド式昇降ユニットの上端が下降したときの側面を開口した側面図を示す。
【図７】  本発明の第２の実施の形態の柱型スライド式昇降ユニットの図を示し、図７（ａ）は、前面を開口した正面図を示し、図７（ｂ）は、側面を開口した側面図を示す。
【符号の説明】
【００１７】  １０  システムキッチン
２０  柱型スライド式昇降ユニット
３０Ａ、３０Ｂ  筒型スライドユニット
３１  筒型の外側中空体
３２  第１の角型の内側中空体
３３  第２の角型の内側中空体
３４  スライダー
３５、３６、３７  スライドガイド部
４０  昇降駆動機構
４１  巻取ローラ
４２、４３，４４、４５、６１、６３  ガイドローラ
５０  駆動部
５１  第１のベルト
５２  第２のベルト
５７ａ  駆動モータ
【図１】
2008162789.tif 000003
【図２】
2008162789.tif 000004
【図３】
2008162789.tif 000005
【図４】
2008162789.tif 000006
【図５】
2008162789.tif 000007
【図６】
2008162789.tif 000008
【図７】
2008162789.tif 000009